(57)【要約】【課題】複数の先端工具を別々に移動させることで先端工具の重量による負担が少ないとともに、切り替え時の安全性や作業性を向上させることができる切替アダプタを提供する。【解決手段】一端２ａ及び他端２ｂに、それぞれ取付部３，４が設けられる長尺体２と、取付部３，４にそれぞれ取り付けられ、先端工具が着脱可能に装着されるアダプタ５，６と、取付部３，４同士の間に設けられる接続部２ｃに接続されるとともに共用操作棒５０の先端部５０ａに係合する係合部７を備え、アダプタ５，６は、それぞれ長尺体２の軸心Ｃ２を中心として回動可能に取り付けられ、係合部７に先端部５０ａが係合した場合に、軸心Ｃ２は、共用操作棒５０の長軸に対して直交する。【選択図】図１
2019140852.tif 000002
【特許請求の範囲】
【請求項１】
一端及び他端に、それぞれ一対の取付部が設けられる長尺体と、
一対の前記取付部にそれぞれ取り付けられ、先端工具が着脱可能に装着される一対のアダプタと、
一対の前記取付部同士の間に設けられる接続部に接続されるとともに共用操作棒の先端部に係合する係合部を備え、
一対の前記アダプタは、それぞれ前記長尺体の軸心を中心として回動可能に取り付けられ、
前記係合部に前記先端部が係合した場合に、前記長尺体の前記軸心は、前記共用操作棒の長軸に対して直交することを特徴とする切替アダプタ。
【請求項２】
前記取付部は、横断面が円形状をなし、
前記アダプタは、前記取付部の外周面を摺動する円筒形状の回動部と、この回動部に固定され、かつ前記先端工具が着脱可能に装着される装着部からなり、
前記外周面は、前記回動部の摺動を停止させる摺動停止部材を備えることを特徴とする請求項１に記載の切替アダプタ。
【請求項３】
前記摺動停止部材は、前記長尺体の短手方向に沿って穿設され、開口部を有するピン孔と、このピン孔の内部の、前記長尺体の前記軸心寄りの位置に埋設される弾性体と、この弾性体と接続される突起部からなる出没ピンであることを特徴とする請求項２に記載の切替アダプタ。
【請求項４】
前記外周面は、前記長尺体の前記軸心を中心として一定角度毎に、前記取付部の半径方向に沿って外方へ突出する複数の凸部が形成され、
前記回動部は、内周面に複数の前記凸部が嵌合する複数の凹部が形成されることを特徴とする請求項２又は請求項３に記載の切替アダプタ。
【請求項５】
前記装着部は、前記回動部に固定される円筒形状の下部と、前記先端工具が着脱可能に装着されるとともに、前記下部の横断面の中心部を中心として回動する上部と、この上部の回動を停止させる回動停止部材を備えることを特徴とする請求項２乃至請求項４のいずれか１項に記載の切替アダプタ。
【請求項６】
前記長尺体は、一対の前記取付部のうちの一方と前記接続部の間、及び一対の前記取付部のうちの他方と前記接続部の間の、少なくともいずれかが入れ子式に形成され、前記長尺体の前記軸心に沿って伸縮自在に構成されることを特徴とする請求項１乃至請求項５のいずれか１項に記載の切替アダプタ。
【発明の詳細な説明】
【技術分野】
【０００１】
本発明は、間接活線作業時に複数の先端工具を切り替えて使用するために用いる切替アダプタに係り、特に、切り替え作業時の安全性や作業性を向上できる切替アダプタに関する。
【背景技術】
【０００２】
従来、間接活線作業時には、複数種類の先端工具を使用する場合が多い。使用する先端工具を変更する際には、その都度、使用済みの先端工具を共用操作棒から取り外し、新たな先端工具を装着するという手順で付け替えを行っている。
しかし、このような手順では、付け替えに時間がかかり、作業時間のロスが発生するという課題があった。
また、付け替えの最中は、先端工具が充電部に接触することのないように、通常、付け替えをしない作業者が主に充電部を監視しているものの、付け替えを行う作業者が作業に気を取られて、先端工具を充電部に接触させてしまうおそれがあった。
このような課題を解決するため、近年、複数種類の先端工具を簡単かつ安全に切り替えて使用可能な切替アダプタが開発されており、それに関して既にいくつかの発明が開示されている。
【０００３】
特許文献１には「間接活線工具の先端工具装着機構」という名称で、簡易な作業により先端工具を用途に応じて変更可能な先端工具取付機構に関する発明が開示されている。
以下、特許文献１に開示された発明について説明する。特許文献１に開示された発明は、共用操作棒の先端側に接続される固定部と、この固定部に回転可能に取り付けられると共に複数の先端工具を装着することが可能な回転部とから成ることを特徴とする。
このような特徴を有する発明においては、ある作業が終了し他の作業に移行する際に、回転部を回転するだけで他の作業に必要な先端工具に変えることができるので、作業現場での付け替え作業を容易に行うことができる。
【０００４】
次に、特許文献２には「先端工具用アダプタ及び操作棒」という名称で、先端工具を取り替える作業を簡素化する先端工具用アダプタに関する発明が開示されている。
以下、特許文献２に開示された発明について説明する。特許文献２に開示された発明は、先端工具を固定する工具固定部を複数備え、操作棒と複数の先端工具とを接続するための先端工具用アダプタにおいて、各工具固定部が操作棒の軸心上に位置するそれぞれの状態に切り替え可能に構成されることを特徴とする。
このような特徴を有する発明においては、各工具固定部を回動させることにより、操作棒の軸心上に各工具固定部を容易に位置させることができる。このとき、先端工具を操作棒の軸心上から外す作業と、別の先端工具を操作棒の軸心上に位置させる作業とを一つの作業で行うことができるため、先端工具を取り替える作業をさらに簡素化することができる。
【先行技術文献】
【特許文献】
【０００５】
【特許文献１】特開２００７−１９５３１７号公報
【特許文献２】特開２０１０−１９３６１２号公報
【発明の概要】
【発明が解決しようとする課題】
【０００６】
しかしながら、特許文献１に開示された発明においては、複数の先端工具を切り替える際には、これらの先端工具と、腕部を一体的に回動させる必要がある。そのため、複数の先端工具の重量によっては、回動に大きな力が必要になるおそれがある。
【０００７】
次に、特許文献２に開示された発明においては、複数の先端工具を切り替える際には、これらの先端工具と、各工具固定部を一体的に回動させる必要がある。そのため、特許文献１に開示された発明と同様に、回動に大きな力が必要になるおそれがある。また、使用していない側の先端工具は斜め下方に突出して保持されるため、複数の先端工具が占める共用操作棒を中心とした左右方向の幅がかえって拡大し、この先端工具が充電部等に接触し易くなるおそれがある。よって、特許文献２に開示された発明によっても、必ずしも安全性や作業性が良好であるとは言えない。
【０００８】
本発明は、このような従来の事情に対処してなされたものであり、複数の先端工具を切り替える際にこれらの先端工具を別々に移動させることで先端工具の重量や大きさによる負担が少ないとともに、充電部へ接触させ難い状態で複数の先端工具を保持可能とすることにより、切り替え時の安全性や作業性を向上させることができる切替アダプタを提供することを目的とする。
【課題を解決するための手段】
【０００９】
上記目的を達成するため、第１の発明に係る切替アダプタは、一端及び他端に、それぞれ一対の取付部が設けられる長尺体と、一対の取付部にそれぞれ取り付けられ、先端工具が着脱可能に装着される一対のアダプタと、一対の取付部同士の間に設けられる接続部に接続されるとともに共用操作棒の先端部に係合する係合部を備え、一対のアダプタは、それぞれ長尺体の軸心を中心として回動可能に取り付けられ、係合部に先端部が係合した場合に、長尺体の軸心は、共用操作棒の長軸に対して直交することを特徴とする。
このような構成の発明において、「一対のアダプタが、それぞれ長尺体の軸心を中心として回動可能に取り付けられる」構成として、例えば、一対のアダプタの接続部寄りの一端が、取付部の両端に、それぞれラチェット機構を介して取り付けられている構成が考えられる。
【００１０】
上記構成においては、一対のアダプタは、それぞれ長尺体の軸心を中心として回動可能に取り付けられるので、必ずしもこれらを同時に回動させる必要がない。
また、係合部に先端部が係合した場合に、長尺体の軸心は、共用操作棒の長軸に対して直交することから、 一対のアダプタに装着された各先端工具の一方を充電部に向けて長尺体より上方に持ち上げ、他方を長尺体から鉛直下方に吊り下げて保持することができる。
【００１１】
次に、第２の発明は、第１の発明において、取付部は、横断面が円形状をなし、アダプタは、取付部の外周面を摺動する円筒形状の回動部と、この回動部に固定され、かつ先端工具が着脱可能に装着される装着部からなり、外周面は、回動部の摺動を停止させる摺動停止部材を備えることを特徴とする。
このような構成の発明においては、第１の発明の作用に加えて、アダプタの回動部は、取付部の外周面を長尺体の軸心を中心として摺動する。このとき、取付部の外周面に設けられる摺動停止部材によって、回動部の摺動が停止されるので、 前述の各先端工具の一方を長尺体より上方に持ち上げ、他方を長尺体から下方に吊り下げた状態が保持、又は解除される。
【００１２】
続いて、第３の発明は、第２の発明において、摺動停止部材は、長尺体の短手方向に沿って穿設され、開口部を有するピン孔と、このピン孔の内部の、長尺体の軸心寄りの位置に埋設される弾性体と、この弾性体と接続される突起部からなる出没ピンであることを特徴とする。
このような構成の発明においては、第２の発明の作用に加えて、弾性体は、突起部を常に取付部の外周面から外方へ突出させるように付勢する。よって、突起部をその上方から押さえない場合に限り、摺動停止部材によって回動部の摺動が停止されている。これに対し、回動部を摺動させる場合は、突起部を押さえてピン孔の開口部よりも奥側に押し込むことで、回動部の摺動が可能となる。
【００１３】
さらに、第４の発明は、第２又は第３の発明において、外周面は、長尺体の軸心を中心として一定角度毎に、取付部の半径方向に沿って外方へ突出する複数の凸部が形成され、回動部は、内周面に複数の凸部が嵌合する複数の凹部が形成されることを特徴とする。
このような構成の発明において、取付部の外周面に形成される複数の凸部は、長尺体の軸心に沿って、直線状に設けられるほか、一箇所に設けられても良い。複数の凹部もこのような凸部の形状に対応して形成される。
上記構成の発明においては、第２又は第３の発明の作用に加えて、回動部が外周面を摺動する際に、複数の凸部がそれぞれ複数の凹部に順次嵌合するため、摺動に対して一定の抵抗力が発生し、回動部の摺動スピードが抑制される。すなわち、装着部に装着された先端工具が一気に降下することが防止される。
【００１４】
そして、第５の発明は、第２乃至第４のいずれかの発明において、装着部は、回動部に固定される円筒形状の下部と、先端工具が着脱可能に装着されるとともに、下部の横断面の中心部を中心として回動する上部と、この上部の回動を停止させる回動停止部材を備えることを特徴とする。
このような構成の発明においては、第２乃至第４のいずれかの発明の作用に加えて、上部が下部の横断面の中心部を中心として回動し、回動停止部材によって停止されるため、共用操作棒の長軸と長尺体がなす面に対する先端工具の装着角度を様々に変化させることができる。なお、回動停止部材としては、第３の発明における出没ピンや、第４の発明における複数の凸部及び凹部が考えられる。
【００１５】
そして、第６の発明は、第１乃至第５のいずれかの発明において、長尺体は、一対の取付部のうちの一方と接続部の間、及び一対の取付部のうちの他方と接続部の間の、少なくともいずれかが入れ子式に形成され、長尺体の軸心に沿って伸縮自在に構成されることを特徴とする。
このような構成の発明においては、第１乃至第５のいずれかの発明の作用に加えて、長尺体の長さが短縮又は伸長するので、一対のアダプタにそれぞれ装着された先端工具同士の間隔が調整される。
【発明の効果】
【００１６】
第１の発明によれば、必ずしも一対のアダプタを同時に回動させる必要がないため、従来技術に比べて、回動時に必要な力と注意力の負担を軽減することができる。
また、各先端工具の一方のみを充電部に向け、他方を長尺体から下方に吊り下げることができるので、複数の先端工具が占める共用操作棒を中心とした左右方向の幅を狭めることが可能である。よって、複数の先端工具が充電部等に接触し難くなる。したがって、第１の発明によれば、安全性や作業性を従来技術よりも向上させることが可能である。
【００１７】
第２の発明によれば、第１の発明の効果に加えて、摺動停止部材によって、複数の先端工具を所望の状態及びタイミングで保持することができる。したがって、先端工具が予期せぬ動きをすることを防止できる。
【００１８】
第３の発明によれば、第２の発明の効果に加えて、突起部を押さえるという簡単な操作により、回動部を摺動可能にできるため、操作性が極めて良好である。また、突起部を押さえない場合では、回動部を確実に停止状態とすることが可能である。
【００１９】
第４の発明によれば、第２又は第３の発明の効果に加えて、複数の凸部及び凹部により、装着部に装着された先端工具が一気に降下することが防止されるので、切り替え時に先端工具が勢いよく作業員や周囲に衝突することを防止できる。
【００２０】
第５の発明によれば、第２乃至第４のいずれかの発明の効果に加えて、共用操作棒の長軸と長尺体がなす面に対する先端工具の装着角度を様々に変化させることができるので、先端工具毎、または作業員毎に、使用し易い装着角度に調整可能であって、操作性が一層良好となる。
【００２１】
第６の発明によれば、第１乃至第５のいずれかの発明の効果に加えて、一対のアダプタにそれぞれ装着された先端工具同士の間隔が調整されるため、先端工具の大きさに関わらず、先端工具同士の衝突を回避することができる。さらに、先端工具同士の間隔を短くすることができるので、先端工具が周囲に接触する危険性を最小限に留めることが可能である。
【図面の簡単な説明】
【００２２】
【図１】実施例に係る切替アダプタの正面図である。
【図２】実施例に係る切替アダプタの斜視図である。
【図３】図２におけるＡ−Ａ線矢視断面図である。
【図４】（ａ）は実施例の第１の変形例に係る切替アダプタを構成する取付部とアダプタの側面図であり、（ｂ）は（ａ）におけるＢ−Ｂ線矢視断面図である。
【図５】実施例の第２の変形例に係る切替アダプタを構成する取付部とアダプタの斜視図である。
【図６】実施例の第３の変形例に係る切替アダプタの正面図である。
【発明を実施するための形態】
【実施例】
【００２３】
本発明の実施の形態に係る切替アダプタについて、図１乃至図６を用いて詳細に説明する。図１は、実施例に係る切替アダプタの正面図である。また、図２は、実施例に係る切替アダプタの斜視図である。
図１及び図２に示すように、本発明の第１の実施の形態に係る切替アダプタ１は、封止された一端２ａ及び他端２ｂに、それぞれ一対の取付部３，４が設けられる円筒形状の長尺体２と、取付部３，４にそれぞれ取り付けられ、先端工具（図示せず）が着脱可能に装着される一対のアダプタ５，６と、取付部３，４同士の間に設けられる接続部２ｃに接続されるとともに共用操作棒５０の先端部５０ａに係合する係合部７を備える。
【００２４】
なお、複数の先端工具は、菊座アダプタ５１を介して、アダプタ５，６にそれぞれ装着される。すなわち、菊座アダプタ５１の下方に形成される略Ｔ字状の係合溝５１ａに、後述する装着部９の係合ピン９ｂが係合することで、アダプタ５，６によって複数の先端工具がそれぞれ保持される。また、これら先端工具としては、例えば、引下線コネクタを高圧架線へ接続する場合に使用される芯線研磨用の電線ブラシと、引下線コネクタの芯線への留め部材を締め付けるラチェット締付具の組み合わせがある。
【００２５】
アダプタ５，６は、それぞれ長尺体２の軸心Ｃ２を中心として両矢印が示す方向へ回動可能に取り付けられる。
また、係合部７に先端部５０ａが係合した場合に、長尺体２の軸心Ｃ２は、共用操作棒５０の長軸Ａ５０に対して直交するよう、係合部７が接続部２ｃに接続されている。
さらに、係合部７は、共用操作棒５０の先端部５０ａの外周面から外方へ突出する係合ピン５０ｂを係合可能な略Ｔ字状の切り欠き７ａが形成される。この切り欠き７ａに、係合ピン５０ｂが係合することで、共用操作棒５０によって切替アダプタ１が保持される。
【００２６】
さらに、長尺体２の一端２ａの側において、取付部３は、横断面が円形状をなす。そして、アダプタ５は、取付部３の外周面３ａを摺動する円筒形状の回動部８と、この回動部８に固定され、かつ先端工具が着脱可能に装着される円筒形状の装着部９からなる。
このうち、回動部８は、後述する摺動停止部材１０の突起部１４（図３参照）が嵌め込まれる嵌合孔８ａが回動部８の横断面の中心部を中心として１８０度おきに合計２個形成されている。そして、装着部９は、その外周面９ａから外方へ突出する係合ピン９ｂが、装着部９の横断面の中心部を中心として１８０度おきに合計２個設けられる。
また、取付部３の外周面３ａは、回動部８の摺動を停止させる摺動停止部材１０を備える。
なお、長尺体２の他端２ｂの側においても、取付部４、アダプタ６及び摺動停止部材１１が備えられ、これらはいずれも取付部３、アダプタ５及び摺動停止部材１０と同様の構成である。
【００２７】
次に、摺動停止部材１０，１１について、図３を用いて詳細に説明する。図３は、図２におけるＡ−Ａ線矢視断面図である。なお、図１及び図２で示した構成要素については、図３においても同一の符号を付して、その説明を省略する。
図３に示すように、摺動停止部材１０は、それぞれ長尺体２の軸心Ｃ２について対称的に取付部３へ埋設される一対の出没ピン１５，１５である。
出没ピン１５は、長尺体２の短手方向に沿って穿設され、開口部１２ａを有するピン孔１２と、このピン孔１２の内部の、長尺体２の軸心Ｃ２寄りの位置に埋設されるとともに、一端がピン孔１２の底面に固定される弾性体１３と、この弾性体１３の他端と接続される突起部１４からなる。
【００２８】
弾性体１３は、押しバネであり、突起部１４を常に回動部８の外周面８ｂから外方へ突出させるように付勢する。また、突起部１４は、表面が半球状に形成されている。よって、突起部１４は作業員に押されることで容易にピン孔１２の底面方向へ引っ込むため、回動部８が取付部３の外周面３ａを摺動可能な状態となる。ここで、回動部８を軸心Ｃ２を中心として回動させると、突起部１４が回動部８の内周面８ｃに接触してさらに押されるので、弾性体１３が収縮し突起部１４がピン孔１２へ完全に没入する。これにより、回動部８の回動抑制が完全に解除された状態となる。
一方、回動部８の回動を継続することで、嵌合孔８ａが突起部１４と一致する位置に来ると、弾性体１３が伸展し突起部１４が嵌合孔８ａへ嵌合する。これにより、回動部８の回動は不可能となる。
図３では摺動停止部材１０について説明したが、摺動停止部材１１も同一の構成である。
【００２９】
上記構成の切替アダプタ１の使用手順について、図１及び図２も参照しながら以下のように説明する。切替アダプタ１においては、手順１として、長尺体２を係合部７を介して共用操作棒５０の先端部５０ａに接続する。
手順２として、複数の先端工具をそれぞれ装着部９に装着する。このとき、アダプタ５，６において、装着部９，９にそれぞれ先端工具を装着し易いように、回動部８を長尺体２より上方に配置させておくと良い。また、複数の先端工具の長軸と、共用操作棒５０の長軸がそれぞれ一致するように装着すると、操作性を良好にすることができる。
【００３０】
次いで、手順３として、アダプタ５の装着部９に装着される先端工具を使用する場合、摺動停止部材１０の突起部１４，１４を押し込み、軸心Ｃ２を中心に回動部８を回動させて、この先端工具を長尺体２より上方に持ち上げて最初の作業を行う。ただし、使用しない側の先端工具は長尺体２から鉛直下方に吊り下げ保持しておく。このとき、アダプタ５，６の回動部８，８では、いずれも突起部１４，１４が回動部８の嵌合孔８ａ，８ａに嵌合しているため、先端工具は長尺体２の軸心Ｃ２を中心として回動することはできない。
最初の作業が終了後、先端工具を切り替えるが、この手順４として、最初の作業で使用した先端工具を、回動部８を回動させて長尺体２から鉛直下方に吊り下げ回動不能に保持する。そうしておいて、アダプタ６における摺動停止部材１１の突起部１４，１４を押し込んで回動部８を回動させ、長尺体２より上方に持ち上げて２回目の作業を行う。
この作業が終了後は、アダプタ６の回動部８を回動させずに、２回目の作業で使用した先端工具をそのまま保持しても良いし、この回動部８を回動させて、吊り下げ保持しても良い。
【００３１】
以上、説明したように、切替アダプタ１によれば、必ずしも一対のアダプタ５，６の回動部８，８を同時に回動させる必要がないため、従来技術に比べて、この回動時に必要な力をそれ程必要とせず、操作が楽である。また、回動させる側の先端工具に注意力を集中して、先端工具が充電部に接触しないように十分に監視できる。
また、手順３で述べたように、複数の先端工具の一方のみを充電部に向け、他方を長尺体２から鉛直下方に吊り下げることができるから、複数の先端工具が占める共用操作棒５０を中心とした左右方向の幅を狭めることが可能である。そのため、複数の先端工具による充電部への接触や干渉を抑制することができる。
加えて、手順２で述べたように、複数の先端工具の長軸と、共用操作棒５０の長軸Ａ５０がそれぞれ一致するように複数の先端工具をそれぞれ装着部９に装着することにより、操作性を一層良好にすることが可能である。このように、切替アダプタ１によれば、安全性や作業性を従来技術よりも確実に向上させることが可能である。
【００３２】
また、切替アダプタ１によれば、摺動停止部材１０，１１によって、複数の先端工具を所望の状態及びタイミングで保持することができる。しかも、突起部１４，１４を押さえるという簡単な操作により、回動部８を回動することができるため、操作性が極めて良好である。一方、突起部１４，１４を押さえない場合では、回動部８を確実に停止状態とすることができるので、先端工具が予期せず降下することを防止可能である。
【００３３】
次に、実施例の第１の変形例に係る切替アダプタについて、図４を用いながら、説明する。図４（ａ）は実施例の第１の変形例に係る切替アダプタを構成する取付部とアダプタの側面図であり、図４（ｂ）は図４（ａ）におけるＢ−Ｂ線矢視断面図である。なお、図１乃至図３で示した構成要素については、図４においても同一の符号を付して、その説明を省略する。
図４（ａ）及び図４（ｂ）に示すように、実施例の第１の変形例に係る切替アダプタは、実施例１の取付部３及び回動部８の代わりに、取付部１６及び回動部１８を備える。同様に、実施例１の取付部４及び回動部８（図示せず）の代わりとしても、取付部１６及び回動部１８を備える。これ以外の実施例の第１の変形例に係る切替アダプタの構成は、実施例１に係る切替アダプタ１の構成と同様である。
【００３４】
取付部１６の外周面１６ａは、長尺体２の軸心Ｃ２を中心として３０度毎に、取付部１６の半径方向に沿って外方へ突出する（図４（ｂ）参照）とともに、長尺体２の軸心Ｃ２に平行する（図４（ａ）参照）直線状の複数の凸部（以下、凸部群１７という。）が形成される。凸部群１７は、具体的には、横断面がそれぞれ同様な半球形状をなしているが、これに限定されず、例えば多角形状をなしていても良い。
また、回動部１８は、内周面に凸部群１７がそれぞれ嵌合する複数の凹部（以下、凹部群１９という。）が、長尺体２の軸心Ｃ２を中心として３０度毎に形成される。
【００３５】
さらに、取付部１６の一端１６ｂは、開放構造となっており、雄ネジ部１６Ｓが形成されている。また、この一端１６ｂには、蓋体２０が取り付けられている。蓋体２０は、その周縁に側壁を有する略円板状をなし、雄ネジ部１６Ｓに螺合する雌ネジ部２０Ｓが側壁の内周面に形成されているため、雌ネジ部２０Ｓを雄ネジ部１６Ｓに螺合させることで一端１６ｂに取り付けられる。
一方、回動部１８を挟んで一端１６ｂ側と反対側の長尺体２には、回動部１８の端面１８ａが当接するリング状の当接部材２１が固着されている。
【００３６】
上記構成においては、端面１８ａが当接部材２１に当接した回動部１８は、蓋体２０が取付部１６の一端１６ｂに取り付けられると、当接部材２１の側にも、蓋体２０の側にも移動できない。しかし、回動部１８が取付部１６の外周面１６ａを軸心Ｃ２を中心として摺動することは可能である。
このとき、凸部群１７がそれぞれ凹部群１９に嵌合したり、抜け出したりするため、回動部１８の摺動に対して一定の抵抗力が発生し、その摺動スピードが抑制される。すなわち、装着部９に装着された先端工具が回動する際に、一気に降下することが防止される。
したがって、実施例の第１の変形例に係る切替アダプタによれば、切り替え時に先端工具が勢いよく作業員や周囲に衝突することを防止でき、安全性を一層向上させることができる。これ以外の実施例の第１の変形例に係る切替アダプタの作用及び効果は、実施例に係る切替アダプタ１の作用及び効果と同様である。
【００３７】
続いて、実施例の第２の変形例に係る切替アダプタについて、図５を用いながら、説明する。図５は、実施例の第２の変形例に係る切替アダプタを構成する取付部とアダプタの斜視図である。なお、図１乃至図４で示した構成要素については、図５においても同一の符号を付して、その説明を省略する。
図５に示すように、実施例の第２の変形例に係る切替アダプタは、実施例１の装着部９の代わりに、装着部２２を備える。これ以外の実施例の第２の変形例に係る切替アダプタの構成は、実施例１に係る切替アダプタ１の構成と同様である。
【００３８】
装着部２２は、回動部８に固定される円筒形状の下部２３と、先端工具が着脱可能に装着されるとともに、下部２３の横断面の中心部を中心として図中両矢印方向に回動する円柱形状の上部２４と、この上部２４の回動を停止させる回動停止部材２５を備える。
このうち、下部２３は、その内部に平坦な底面２３ａが形成され、上部２４の下端面を支持する。上部２４は、その外周面２４ａに１個の突出ピン２４ｂを備え、菊座アダプタ５１（図１参照）を介し先端工具を装着可能に構成されている。
また、回動停止部材２５は、下部２３の軸心Ｃ２３を中心として９０度おきに穿設される合計４個のピン孔２５ａと、上部２４の外周面２４ａに埋設され、ピン孔２５ａに没入可能な１個の出没ピン２５ｂからなる。出没ピン２５ｂは、出没ピン１５（図３参照）と同様な構成を有し、その表面が常時ピン孔２５ａに没入するように付勢されている。
【００３９】
上記構成の装着部２２においては、出没ピン２５ｂを押し込みながら上部２４を回動させると、突出ピン２４ｂが４個のピン孔２５ａのいずれかに順次没入可能である。
したがって、実施例の第２の変形例に係る切替アダプタによれば、共用操作棒５０の長軸Ａ５０（図１参照）と長尺体２の軸心Ｃ２がなす面に対する先端工具の装着角度を様々に変化させることができる。この装着角度とは、回動する上部２４を上方から見下ろした場合において、突出ピン２４ｂの長軸が長尺体２の軸心Ｃ２に対してなす角度と等しい。そのため、先端工具毎、または作業員毎に、使用し易い装着角度に調整可能であって、操作性が一層良好となる。これ以外の実施例の第２の変形例に係る切替アダプタの作用及び効果は、実施例に係る切替アダプタ１の作用及び効果と同様である。
【００４０】
続いて、実施例の第３の変形例に係る切替アダプタについて、図６を用いながら、詳細に説明する。図６は、実施例の第３の変形例に係る切替アダプタの正面図である。なお、図１乃至図５で示した構成要素については、図６においても同一の符号を付して、その説明を省略する。
図６に示すように、実施例の第３の変形例に係る切替アダプタ１ａは、実施例１の長尺体２の代わりに、長尺体２６を備える。これ以外の実施例１の変形例に係る切替アダプタの構成は、実施例1に係る切替アダプタ１の構成と同様である。
【００４１】
長尺体２６は、一端２６ａ及び他端２６ｂに、それぞれ一対の取付部２７，２８が設けられるとともに、取付部２７，２８同士の間に接続部２６ｃを備える。
長尺体２６は、取付部２７と接続部２６ｃの間、及び取付部２８と接続部２６ｃの間がそれぞれ３段の入れ子式に形成され、図中両矢印に示すように、長尺体２６の軸心Ｃ２６に沿ってそれぞれ伸縮自在に構成される。
【００４２】
上記構成の実施例３の変形例に係る切替アダプタにおいては、長尺体２６の全長が短縮又は伸長するので、アダプタ５，６にそれぞれ装着された先端工具同士の間隔が調整される。
したがって、実施例３の変形例に係る切替アダプタによれば、先端工具の大きさに関わらず、先端工具同士の衝突を回避することができる。さらに、先端工具同士の間隔を短くすることができるので、先端工具が周囲に接触する危険性を最小限に留めることが可能である。
また、不使用時には、長尺体２６をコンパクトに短縮できることから、持ち運びや保管時に嵩張らず、便利である。これ以外の実施例の第３の変形例に係る切替アダプタの作用及び効果は、実施例に係る切替アダプタ１の作用及び効果と同様である。
【００４３】
なお、本発明に係る切替アダプタは、実施例に示すものに限定されない。例えば、長尺体２は、取付部３，４以外の部分は角柱形状をなしていても良い。また、摺動停止部材１０，１１の代わりに、長尺体２の一端２ａ及び他端２ｂにラチェット機構を介してアダプタ５，６が接続され、一方向のみに回動部８，８が回動可能であっても良い。さらに、係合ピン９ｂの代わりに、装着部９に菊座アダプタ５１の係合溝５１ａと同様な略Ｔ字形状の切れ込みが形成されても良い。
このほか、長尺体２６は、取付部２７と接続部２６ｃの間、及び取付部２８と接続部２６ｃの間のいずれか一方が入れ子式に形成されても良い。
【産業上の利用可能性】
【００４４】
本発明は、間接活線作業時に複数の先端工具を切り替えて使用するために用いる切替アダプタとして利用可能である。
【符号の説明】
【００４５】
１，１ａ…切替アダプタ  ２…長尺体  ２ａ…一端  ２ｂ…他端  ２ｃ…接続部  ３，４…取付部  ３ａ…外周面  ５，６…アダプタ  ７…係合部  ７ａ…切り欠き  ８…回動部  ８ａ…嵌合孔  ８ｂ…外周面  ８ｃ…内周面  ９…装着部  ９ａ…外周面  ９ｂ…係合ピン  １０，１１…摺動停止部材  １２…ピン孔  １２ａ…開口部  １３…弾性体  １４…突起部  １５…出没ピン  １６…取付部  １６ａ…外周面  １６ｂ…一端  １６Ｓ…雄ネジ部  １７…凸部群  １８…回動部  １８ａ…端面  １９…凹部群  ２０…蓋体  ２０Ｓ…雌ネジ部  ２１…当接部材  ２２…装着部  ２３…下部  ２３ａ…底面  ２４…上部  ２４ａ…外周面  ２４ｂ…突出ピン  ２５…回動停止部材  ２５ａ…ピン孔  ２５ｂ…出没ピン  ２６…長尺体  ２６ａ…一端  ２６ｂ…他端  ２６ｃ…接続部  ２７，２８…取付部  ５０…共用操作棒  ５０ａ…先端部  ５０ｂ…係合ピン  ５１…菊座アダプタ  ５１ａ…係合溝  Ｃ２，Ｃ２３，Ｃ２６…軸心  Ａ５０…長軸
【図１】
2019140852.tif 000003
【図２】
2019140852.tif 000004
【図３】
2019140852.tif 000005
【図４】
2019140852.tif 000006
【図５】
2019140852.tif 000007
【図６】
2019140852.tif 000008